(57)【要約】【課題】  環状式保護クッションの提供。【解決手段】  環状式保護クッションは、特に、人体四肢患部を環状形態で被覆し包み込む保護クッションである。それは、弾性緩衝材料を用いて作製したクッション体を含む。該クッション体には、支持部と、支持部の上部に位置し向き合う二つの保護部とを備え、該保護部の間には人体四肢を納められる凹部を形成し、尚且つ前記保護部の上端の間には径を縮小させ、凹部の幅を弾性緩衝材で調整できる伸縮口を形成し、該伸縮口が人体四肢の動きを凹部内に制限することで、弾性を備えた支持部と保護部は人体四肢患部の外周を環状形態で被覆及び支持し、人体四肢が衝撃を受けるのを防ぐ。並びに、患部及びその周囲を高くできるため、それらの箇所が長期間ベッドに接触することで生じる蒸暑さや褥瘡を防ぎ、便利に使用できる。【選択図】図１
0003176428.tif 000002
【実用新案登録請求の範囲】
【請求項１】
弾性緩衝材料によって作製したクッション体を含む環状式保護クッションにおいて、
前記クッション体には、支持部と、支持部の上部に位置し向き合う二つの保護部とを備え、該保護部の間には人体四肢を納められる凹部を形成し、尚且つ前記保護部の上端の間には径を縮小させ、凹部の幅を弾性をもって調整できる伸縮口を形成し、該伸縮口が人体四肢の動きを凹部内に制限することで、弾性を備えた支持部と保護部は人体四肢の患部の外周を環状形態で被覆し、支持することを特徴とする環状式保護クッション。
【請求項２】
前記弾性緩衝材料はスポンジ或いは高密度弾性ウレタンであることを特徴とする請求項１に記載の環状式保護クッション。
【請求項３】
前記クッション体は盤状をなし、保護部は支持部の上部から上方に向かって延伸する棒状をなすことを特徴とする請求項１に記載の環状式保護クッション。
【請求項４】
前記保護部の上端の幅は保護部の中間部と底端の幅より大きく、伸縮口の直径は凹部の直径より小さいことを特徴とする請求項１に記載の環状式保護クッション。
【請求項５】
前記環状式保護クッションにはベルトをさらに加え、該ベルトの一端は何れか一つの保護部の上部に固定し、ベルトの他の一端には別の保護部の上部に粘着するための粘着部品を設けることを特徴とする請求項１に記載の環状式保護クッション。
【請求項６】
前記粘着部品はマジックテープ（登録商標）であることを特徴とする請求項５に記載の環状式保護クッション。
【請求項７】
前記クッション体の保護部と支持部の外側は粘着部品を便利に粘着できるカバーで包み込み、該カバーは弾性繊維生地を用いて作製し、ベルトの一端を保護部上部のカバー外表面に固定することを特徴とする請求項５に記載の環状式保護クッション。
【請求項８】
ベルトの動作経路上の前記カバー外表面の一部には粗繊維生地を用いて作製することを特徴とする請求項６に記載の環状式保護クッション。
【請求項９】
前記支持部と保護部はＵ字形に配列することを特徴とする請求項１に記載の環状式保護クッション。
【考案の詳細な説明】
【技術分野】
【０００１】
本考案は、環状式保護クッションに関し、U字形で人体四肢の患部を支え、患部及びその周囲が長期間ベッドに接触して生じる蒸し暑さや褥瘡を防ぐ保護クッションに係る。
【背景技術】
【０００２】
人体の手足等四肢は外界との接触が頻繁であるため、怪我をした四肢が再び外力による衝撃を受けて痛みを感じることがよくある。甚だしくは更に大きな怪我となることさえある。また、四肢を怪我し、寝たきりや車椅子の生活になった病人が身体を動かす時にその移動量が過大であると怪我をした手足も動かされて再び痛みが引き起こされる事もある。
【０００３】
病人が四肢を動かした時に再び痛むのを防ぐための伝統的な方法には、怪我をした手足を縛り高い所に固定して四肢の大きな動きを減らそうとする方法がある。しかし、一般に病人は、例えば食事やトイレ、医師の診察を受ける等、日常生活の中で身体を大きく動かすことを避けられずに、四肢を大きく動かして外部の物にぶつかったり苦痛を増してしまうこともある。
【０００４】
また、患者の中には無意識或いは四肢を動かせない特殊状況において、その患部が長時間ベッドに接触して通気されないために、軽い者では蒸し暑さを感じ易くなり、ひどい者では褥瘡を起こし、患部を常に動かさなければならない。よって、病人は四肢を動かすことが増え、痛みを感じる回数も増加する。
【０００５】
一般に、病人が身体を動かす際の痛みを軽減する方法には、枕、クッション、布団、毛布等の寝具を用いて病人の四肢の患部を支え、病人が身体を動かした際の四肢患部に対する外力の影響を緩和させる方法がある。しかし、前記寝具は人体が動く過程において落下したり患部との間に摩擦作用を生じさせて病人の苦痛感を高めてしまうこともある。
【０００６】
これらの問題点に鑑み、前述した使用上の問題点を如何に克服するかが、本分野の技術が解決しようとする課題である。
【考案の概要】
【考案が解決しようとする課題】
【０００７】
本考案の目的は、環状形態で被覆し、人体四肢の患部及びその周囲を高くすることができる保護クッションの提供にある。これにより、前述の背景技術に述べたような、病人が四肢患部を支えるために用いた寝具が身体を動かす過程における落下や患部との間に生じさせる摩擦によって病人に苦痛を与える問題を解決する。並びに、特に患部やその周囲を高くすることで、その箇所が長期間ベッドと接触し蒸し暑さで褥瘡を起こす問題を防ぐ。
【課題を解決するための手段】
【０００８】
上述の目的を達成するために、本考案の環状式保護クッションは、弾性緩衝材料によって作製したクッション体を採用し、クッション体には支持部と、支持部の上部に位置し向き合う二つの保護部とを備え、保護部の間には人体四肢を納められる凹部を形成し、前記保護部の上端の間には径を縮小させ、凹部の幅を弾性をもって調整する伸縮口を形成する。伸縮口は人体四肢を凹部内に制限することで、支持部と保護部は弾性を備えて人体四肢患部の外周を環状形態で被覆し、支持する。
【０００９】
上述に基づき使用時は手足等四肢を凹部に入れると、四肢患部は弾性を備えた前記支持部と保護部によって環状形態で被覆した保護と支持を受け、支持部と保護部の内壁面が弾性を備えて人体四肢を包み込み、クッション体を四肢患部の外周に固定する。並びに、支持部を用いて外部の椅子の背もたれや肘掛等の安定した家具上に寄り掛かれる。これにより、四肢患部及びその周辺が外部からの衝撃を受け難くなり、蒸暑さを避け褥瘡を防ぐ。使用時は素早く人体四肢の任意箇所に環状形態での被覆が行え、尚且つ迅速な着脱ができるため、便利に使用できる。
【００１０】
次に本考案の具体的な実施方式をさらに説明する。
【００１１】
上述した主な構造の特徴に基づく弾性緩衝材料は、スポンジ或いは高密度弾性ウレタン（俗に形状記憶綿と呼ばれる）とし、最適な緩衝作用と支持作用を提供する。
【００１２】
上述の主な構造の特徴に基づくクッション体は盤状をなし、保護部は支持部の上部から上方に向かって延伸する棒状をなし、凹部と伸縮口の空間を大きく伸縮できる能力を備え、調節性が高い。
【００１３】
上述の主な構造の特徴に基づく保護部の上端の幅は保護部の中間部と底端の幅より大きくし、伸縮口の直径は凹部の直径より小さくする。
【００１４】
上述の主な構造の特徴に基づき、環状式保護クッションにはさらにベルトを加え、該ベルトの一端を何れか一つの保護部の上部に固定し、ベルトの他の一端には別の保護部の上部に粘着するための粘着部品を設ける。
【００１５】
このように、伸縮口を適当な幅に伸縮させて調整した後、ベルトの他の一端の粘着部品を用いて他の保護部の上部に粘着し、伸縮口の伸縮幅を固定させ、さらに凹部の幅を固定させる。その内、粘着部品はマジックテープ（登録商標）とする。
【００１６】
上述の主な構造の特徴に基づき、クッション体の保護部と支持部の外側は粘着部品を便利に粘着できるカバーで包み込み、カバーは弾性繊維生地で作製し、通風及び放熱効果を備えたものとし、人体に快適な触感を与える。また、ベルトの一端は保護部上部のカバー外表面に縫い付けて固定する。
【００１７】
上述の主な構造の特徴に基づき、ベルトの動作経路上のカバー外表面の一部には粗繊維生地を採用し、粘着部品との粘着を安定させる利便を図る。
【００１８】
上述の主な構造の特徴に基づき、支持部と保護部はU字形に配列する。
【考案の効果】
【００１９】
背景技術と比較し、本考案には次の長所を有する。
（１）環状形態の被覆方式を採用して人体四肢に固定し、四肢の任意箇所の周囲に繞設でき、素早い着脱が簡単に行え、非常に便利に使用できる。
（２）人体の四肢を簡単に包覆し密着でき、適当な締め具合と包覆効果を生じさせ、並びに通風効果と放熱効果を備え、使用時には快適感を倍増させ、腕や足の怪我やリハビリでの使用に適し、衝撃時も心配がない。
（３）容易に折り曲げやねじ曲げ可能な特性を備え、可塑性及び調節性が高く、人体の四肢に負担を加重させることなく、四肢を便利に移動させられ、保護効果を失うこともない。
（４）人体四肢に固定した後は落下や移動が生じ難いため、使用者は身体を自由に動かせ、特に、長期の寝たきりの病人への使用に適し、並びに、支持部を用いて外部の椅子の背もたれや肘掛等の安定した家具上に寄り掛かれる。これにより、四肢患部及びその周辺が外部衝撃を受け難くなり、通風放熱効果を備え、褥瘡を防ぐことができる。
【図面の簡単な説明】
【００２０】
【図１】本考案の好ましい実施例の立体図である。
【図２】図１の第一使用状態図である。
【図３】図１の断面図である。
【図４】図２の断面図である。
【図５】図１の第二使用状態図である。
【図６】図１の第三使用状態図である。
【図７】図１の第四使用状態図である。
【考案を実施するための形態】
【００２１】
本考案を明確に十分に開示するために、好ましい実施における図面を参照し、その実施形態を後述に詳細説明する。
【００２２】
図１には本考案の好ましい実施例の立体図を、図２には図１の第一使用状態図を、図３には図１の断面図を、図４には図２の断面図を、図５には図１の第二使用状態図を、図６には図１の第三使用状態図を、図７には図１の第四使用状態図を示す。
【００２３】
図１乃至図７を参照しながら本考案の環状式保護クッション１０についての説明を行う。保護クッション１０は、弾性緩衝材料によって作製したクッション体２０を採用し、クッション体２０には一つの塊形状の支持部２１と、支持部２１の上部に位置し向き合う保護部２２及び保護部２３を備え、支持部２１と保護部２２及び保護部２３をU字形に配列したものである。
【００２４】
前記保護部２２及び保護部２３の間には人体の肩、腕、肘、手首、掌、太腿、膝、脹脛、足首、或いは／及び足底等四肢を納められる凹部２４を形成し、凹部２４は前記保護部２２及び保護部２３の両側方向に向かって開かれ、保護部２２及び保護部２３の上端の間には径を縮小させた状態で凹部２４に繋がる伸縮口２５を形成する。
【００２５】
伸縮口２５は弾性を備えて凹部２４の幅を調整し、尚且つ伸縮口２５は人体四肢を凹部２４内に制限することで、支持部２１と保護部２２及び保護部２３は弾性を備えて人体四肢患部の外周を環状形態で被覆し、支持する。
【００２６】
前述構造に基づき本考案を実施するが、使用時には手足等四肢を保護クッション１０の一方側から凹部２４に延伸させると、四肢の患部は支持部２１と保護部２２及び保護部２３による弾性を備えた環状形態での被覆と支持を受け、これによって、支持部２１と保護部２２及び保護部２３の内壁面は弾性を備えて人体四肢を包覆し、クッション体２０を四肢の患部外周に固定させる。
【００２７】
通常使用する際には、クッション体２０を肩、腕、肘、手首或いは／及び掌の患部外周に固定し、並びに、支持部２１或いは保護部２２、保護部２３を用いて外部の椅子の背もたれや肘掛等の安定した家具上に寄り掛かれる。また、クッション体２０を太腿、膝、脹脛、足首、或いは／及び足底の患部外周に固定し、支持部２１或いは保護部２２、保護部２３を用いて外部の椅子の足やベッド等の安定した家具上に寄り掛かることも可能であり、これによって四肢患部及びその周辺が外部からの衝撃を受け難くなり、通風放熱効果を備え、褥瘡を防ぐことができる。
【００２８】
重要な点は、前述した支持部２１或いは保護部２２、保護部２３は可撓性を備えており、患部が肘や膝等の関節箇所に位置する場合、支持部２１或いは保護部２２、保護部２３で四肢や関節の外周を弾性を備えて包覆し、患部は周到に覆われ、尚且つ肘や膝は依然として自由に動かすことができ、クッション体２０の制限を受けることがない点にある。
【００２９】
特に、長期間寝たきりで常に四肢を動かせない病人に対しては、支持部２１或いは保護部２２、保護部２３を四肢の外周に弾性を備えて包覆することも可能であり、これによって、適度な弾性を備えて四肢を支えることができ、患部を高くして通気をよくする効果もあるため、圧迫感を減少させて患部を保護し、並びに、四肢の大きな面積が長期的に圧迫を受けて発生する褥瘡を防ぐことができる。
【００３０】
これにより、クッション体２０は、人体の四肢が受ける外的な衝撃を阻止、緩和、均等分散させて適当な保護効果を達成し、尚且つ、クッション体２０は、人体四肢の任意箇所に迅速に環状形態での被覆を可能にし、迅速な取外しも可能であるため、便利に使用できる。さらに、前述の背景技術で述べたように、四肢患部を支えている寝具が身体を動かす過程において落下したり、患部に摩擦が生じて病人に苦痛を与える等の問題を解決し、並びに、現有の保護具の規格では四肢の任意箇所の患部を周到に保護できない問題を解決する。
【００３１】
次に、本考案の具体的な実施方式を詳細説明する。
【００３２】
実施時、弾性緩衝材料は、スポンジ或いは高密度弾性ウレタン（俗に形状記憶綿と呼ばれる）材質としてもよい。よって、クッション体２０は非常に柔軟であり、弾性を備えた前記支持部２１或いは保護部２２、保護部２３は簡単に伸ばすことができ、可塑性及び調節性も高いため、支持部２１或いは保護部２２、保護部２３は人体四肢に最適な緩衝作用と支持作用を提供できる。
【００３３】
実施時、クッション体２０は盤状をなし、保護部２２及び保護部２３は支持部２１の上部から上方に向かって延伸する棒状形状で、凹部２４と伸縮口２５の空間を大きく伸縮できる能力を備え、調節性も高い。
【００３４】
実施時、保護部２２と保護部２３の上端の幅は保護部２２と保護部２３の中間部と底端の幅より大きくし、伸縮口２５の直径は凹部２４の直径より小さくする。
【００３５】
実施時、さらにベルト３０を加え、該ベルト３０の一端を何れか一つの保護部２２の上部に固定し、ベルト３０の他の一端には、別の保護部２３の上部に粘着するための粘着部品４０を設ける。
【００３６】
よって、前記伸縮口２５と凹部２４を手足等四肢を入れるための適当な幅に伸縮させて調整した後、ベルト３０の他の一端の粘着部品４０を用いて他の保護部２３の上部に粘着し、伸縮口２５の伸縮幅を固定させ、さらに凹部２４の幅を固定させる。
【００３７】
実施時、クッション体２０の保護部２２、保護部２３と支持部２１の外側は粘着部品４０の粘着に便利なカバー５０で包み込み、実施においてカバーは弾性繊維生地で作製し、通風及び放熱効果を備えたものとし、人体に快適な触感を与える。
【００３８】
実施時、ベルト３０の一端は保護部２２上部のカバー５０外表面に縫い付けて固定し、粘着部品４０は好ましくはマジックテープ（登録商標）とし、カバー５０を構成する繊維生地上への粘着に利便を図る。
【００３９】
実施時、ベルト３０の動作経路上のカバー５０外表面の一部には粗繊維生地５１を採用し、粗繊維生地５１と粘着部品４０の粘着を安定させる利便を図る。
【００４０】
背景技術と比較し、本考案には次の長所を有する。
（１）環状形態の被覆方式を採用して人体四肢に固定し、保護部２２、保護部２３と支持部２１を四肢の任意箇所の周囲に繞設し、着脱が素早く簡単に行え、便利に使用できる。
（２）保護部２２、保護部２３が弾性を備えて伸縮するため人体四肢を簡単に密着して包み込め、適当な締め具合と包覆効果を生じさせ、並びに通風効果と放熱効果を備え、使用時の快適性を増進し、腕や足の怪我やリハビリでの使用に適し、衝撃を受けた場合でも患部への負担の心配が少ない。
（３）クッション体２０にはスポンジ或いは高密度弾性ウレタン（形状記憶綿）等の弾性緩衝材料を用いて製作し、容易に折り曲げやねじ曲げ可能な特性を備え、軽量で、可塑性及び調節性が高く、人体四肢への負担を増すこと無く、四肢を便利に移動させられ、保護効果を失うことがない。
（４）人体四肢に固定した後は、落下や移動が生じ難く、使用者は身体を自由に動かせ、特に、長期間寝たきりの病人への使用に適し、支持部を用いて外部の椅子の背もたれや肘掛等の安定した家具上に寄り掛かれる。これにより、四肢の患部及びその周辺が外部からの衝撃を受け難くなり、通風放熱効果を備え、褥瘡を防ぐことができる。
【００４１】
前述は、単に本考案の好ましい実施例であり、本考案を限定するものではない。よって、本考案の開示する創作精神を逸脱せずに完成した同等効果を備えるその他の修飾や置き換えは全て実用新案の登録請求の範囲内に包含されるものとする。
【符号の説明】
【００４２】
１０  保護クッション
２０  クッション体
２１  支持部
２２  保護部
２３  保護部
２４  凹部
２５  伸縮口
３０  ベルト
４０  粘着部品
５０  カバー
５１  粗繊維生地
【図１】
0003176428.tif 000003
【図２】
0003176428.tif 000004
【図３】
0003176428.tif 000005
【図４】
0003176428.tif 000006
【図５】
0003176428.tif 000007
【図６】
0003176428.tif 000008
【図７】
0003176428.tif 000009